(57)【要約】  アクセストラフィックステアリング、スイッチング、及び／又は、分割動作のための装置及び方法が提供される。ユーザ機器のアクセストラフィックステアリング、スイッチング、及び／又は、分割動作のための方法は、複数の異なるネットワークアクセス上の接続を確立し、異なるネットワークアクセス上の接続が確立されたとき、ＡＴＳＳＳルールを設定する。
2021518684.tif 000002
【特許請求の範囲】
【請求項１】
アクセストラフィックステアリング、スイッチング、及び／又は、分割（ＡＴＳＳＳ）動作のためのユーザ機器（ＵＥ）であって、
メモリと、
送受信器と、
前記メモリ及び前記送受信器に結合されたプロセッサと、
を備え、
前記プロセッサは、
複数の異なるネットワークアクセス上の接続を確立し、
前記異なるネットワークアクセス上の接続が確立されたとき、ＡＴＳＳＳルールを設定する、
ように構成される、ユーザ機器。
【請求項２】
前記プロセッサは、前記ＡＴＳＳＳルール及びネットワークのステータスに基づいて、ＡＴＳＳＳ動作を実行するように構成され、前記ネットワークの前記ステータスは、前記異なるネットワークアクセス上の接続に関連付けられる、請求項１に記載のユーザ機器。
【請求項３】
前記接続がプロトコルデータユニット（ＰＤＵ）セッションであり、前記異なるネットワークアクセスが、第３世代パートナーシッププロジェクト（３ＧＰＰ）アクセス及び非３ＧＰＰアクセスを備える、請求項１又は２に記載のユーザ機器。
【請求項４】
前記プロセッサは、前記送受信器を制御して、ネットワークノードのセッション管理機能（ＳＭＦ）からＡＴＳＳＳルール及び動作コマンドを受信するように構成される、請求項１から３のいずれか一項に記載のユーザ機器。
【請求項５】
前記プロセッサは、リンク検出を実行して、前記ＳＭＦに制御プレーンを介して前記リンク検出の測定結果を提供するように構成され、前記プロセッサは、前記送受信器を制御して、前記ＳＭＦから前記リンク検出の前記測定結果に基づいて更新されたＡＴＳＳＳルールを受信するように構成され、前記プロセッサは、前記更新されたＡＴＳＳＳルールを適用するように構成される、請求項１から４のいずれか一項に記載のユーザ機器。
【請求項６】
アップリンクデータが前記ネットワークノードから前記送受信器に到達した場合、前記プロセッサは、前記ＡＴＳＳＳルールに基づいて適切なアクセスパスを決定する、請求項４又は５に記載のユーザ機器。
【請求項７】
前記ＡＴＳＳＳルールを施行するように構成された、トラフィックフロー制御プロトコル（ＴＦＣＰ）エンティティをさらに備える、請求項６に記載のユーザ機器。
【請求項８】
前記プロセッサは、前記送受信器を制御して、前記プロセッサによって決定された選択アクセスパスを介して、前記ネットワークノードのユーザプレーン機能（ＵＰＦ）へ、前記アップリンクデータを送信するように構成される、請求項６又は７のいずれか一項に記載のユーザ機器。
【請求項９】
前記プロセッサは、前記更新されたＡＴＳＳＳルールを施行し、サービスのために前記選択アクセスパスを調整するように構成される、請求項６から８のいずれか一項に記載のユーザ機器。
【請求項１０】
前記プロセッサが前記サービスのために前記選択アクセスパスを調整することは、前記更新されたＡＴＳＳＳルールに基づいて、前記アップリンクデータのために、前記選択アクセスパスを１つのアクセスから別の１つへ切り替える、又は、分割動作の開始／停止を切り替える、ことを備える、請求項９に記載のユーザ機器。
【請求項１１】
前記プロセッサは、前記送受信器を制御して、前記調整されたアクセスパスを介して、前記アップリンクデータを前記ＵＰＦに送信するように構成される、請求項１０に記載のユーザ機器。
【請求項１２】
ユーザ機器（ＵＥ）のアクセストラフィックステアリング、スイッチング、及び／又は、分割（ＡＴＳＳＳ）動作のための方法であって、
複数の異なるネットワークアクセス上の接続を確立することと、
前記異なるネットワークアクセス上の接続が確立されたとき、ＡＴＳＳＳルールを設定すること、
を備える方法。
【請求項１３】
前記ＡＴＳＳＳルール及びネットワークのステータスに基づいて、ＡＴＳＳＳ動作を実行することをさらに備え、前記ネットワークの前記ステータスは、前記異なるネットワークアクセス上の接続に関連付けられる、請求項１２に記載の方法。
【請求項１４】
前記接続がプロトコルデータユニット（ＰＤＵ）セッションであり、前記異なるネットワークアクセスが、第３世代パートナーシッププロジェクト（３ＧＰＰ）アクセス及び非３ＧＰＰアクセスを備える、請求項１２又は１３に記載の方法。
【請求項１５】
ネットワークノードのセッション管理機能（ＳＭＦ）からＡＴＳＳＳルール及び動作コマンドを受信することをさらに備える、請求項１２から１４のいずれか一項に記載の方法。
【請求項１６】
リンク検出を実行して、前記ユーザ機器（ＵＥ）から前記ＳＭＦへ、制御プレーンを介して前記リンク検出の測定結果を提供すること、前記ＳＭＦから前記リンク検出の前記測定結果に基づいて更新されたＡＴＳＳＳルールを受信すること、及び前記更新されたＡＴＳＳＳルールを適応することをさらに備える、請求項１２から１５のいずれか一項に記載の方法。
【請求項１７】
アップリンクデータが前記ネットワークノードから前記ユーザ機器（ＵＥ）に到達した場合、前記ＡＴＳＳＳルールに基づいて適切なアクセスパスを決定することを備える、請求項１５又は１６に記載の方法。
【請求項１８】
前記ユーザ機器（ＵＥ）におけるトラフィックフロー制御プロトコル（ＴＦＣＰ）エンティティにより、前記ＡＴＳＳＳルールを施行することをさらに備える、請求項１７に記載の方法。
【請求項１９】
前記ユーザ機器（ＵＥ）によって決定された選択アクセスパスを介して、前記ネットワークノードのユーザプレーン機能（ＵＰＦ）へ、前記アップリンクデータを送信することをさらに備える、請求項１７又は１８に記載の方法。
【請求項２０】
前記更新されたＡＴＳＳＳルールを施行し、サービスのために前記選択アクセスパスを調整することをさらに備える、請求項１７から１９のいずれか一項に記載の方法。
【請求項２１】
前記サービスのために前記選択アクセスパスを調整することは、前記更新されたＡＴＳＳＳルールに基づいて、前記アップリンクデータのために、前記選択アクセスパスを１つのアクセスから別の１つへ切り替える、又は、分割動作の開始／停止を切り替える、ことを備える、請求項２０に記載の方法。
【請求項２２】
前記調整されたアクセスパスを介して、前記アップリンクデータを前記ＵＰＦに送信することをさらに備える、請求項２１に記載の方法。
【請求項２３】
アクセストラフィックステアリング、スイッチング、及び／又は、分割（ＡＴＳＳＳ）動作のためのネットワークノードであって、
メモリと、
送受信器と、
前記メモリ及び前記送受信器に結合されたプロセッサと、
を備え、
前記プロセッサは、
ＡＴＳＳＳルールを設定し、
前記ＡＴＳＳＳルール及びネットワークのステータスに基づいてＡＴＳＳＳ動作を実行する、
ように構成される、ネットワークノード。
【請求項２４】
前記ネットワークの前記ステータスは、複数の異なるネットワークアクセス上の接続に関連付けられる、請求項２３に記載のネットワークノード。
【請求項２５】
前記接続がプロトコルデータユニット（ＰＤＵ）セッションであり、前記異なるネットワークアクセスが、第３世代パートナーシッププロジェクト（３ＧＰＰ）アクセス及び非３ＧＰＰアクセスを備える、請求項２３又は２４に記載のネットワークノード。
【請求項２６】
前記ＡＴＳＳＳルールは、前記ネットワークノードのセッション管理機能（ＳＭＦ）において設定される、請求項２３から２５のいずれか一項に記載のネットワークノード。
【請求項２７】
前記ＡＴＳＳＳ動作を実行することを決定するように構成される、前記ＳＭＦにおけるＡＴＳＳＳ制御機能エンティティをさらに備える、請求項２６に記載のネットワークノード。
【請求項２８】
前記ＳＭＦは、ユーザ機器（ＵＥ）又は前記ネットワークノードのユーザプレーン機能（ＵＰＦ）に、ＡＴＳＳＳルール及び動作コマンドを設定するように構成される、請求項２６又は２７に記載のネットワークノード。
【請求項２９】
前記ＳＭＦは、前記ユーザ機器（ＵＥ）又は前記ＵＰＦからのリンク検出の測定結果に基づいて前記ＡＴＳＳＳルールを更新するように、及び、前記ユーザ機器（ＵＥ）又は前記ＵＰＦに前記更新されたＡＴＳＳＳルールを設定するように構成される、請求項２８に記載のネットワークノード。
【請求項３０】
ダウンリンクデータが到達した場合、前記ＵＰＦは、前記ＡＴＳＳＳルールに基づいて適切なアクセスパスを決定する、請求項２８又は２９に記載のネットワークノード。
【請求項３１】
前記ＵＰＦは、選択アクセスパスを介して、前記ユーザ機器（ＵＥ）へ前記ダウンリンクデータを送信するように構成される、請求項３０に記載のネットワークノード。
【請求項３２】
前記ＵＰＦは、パスパフォーマンス測定を実行するように、及び、設定レポート状態に基づいて前記ＳＭＦへ結果を報告するように構成される、請求項３０の項に記載のネットワークノード。
【請求項３３】
前記ＳＭＦは、前記ユーザ機器（ＵＥ）からのフィードバックに基づいて前記ＡＴＳＳＳルールを更新するように構成される、請求項２８から３１のいずれか一項に記載のネットワークノード。
【請求項３４】
前記ＳＭＦは、前記ユーザ機器（ＵＥ）から前記ＵＰＦへ、前記フィードバックを転送するように構成される、請求項３３に記載のネットワークノード。
【請求項３５】
前記ＳＭＦは、前記ＵＰＦへ、前記更新されたＡＴＳＳＳルールを送信するように構成される、請求項３３又は３４に記載のネットワークノード。
【請求項３６】
前記ＵＰＦは、前記更新されたＡＴＳＳＳルールに基づいて、又は、前記ユーザ機器（ＵＥ）からの前記フィードバックに基づいて、パスを調整するように構成される、請求項３３から３５のいずれか一項に記載のネットワークノード。
【請求項３７】
前記ＵＰＦが前記パスを調整することは、前記ダウンリンクデータのために、前記パスを１つのアクセスから別の１つへ切り替える、又は、分割動作の開始／停止を切り替える、ことを備える、請求項３６に記載のネットワークノード。
【請求項３８】
前記ＵＰＦは、調整されたアクセスパスを介して、前記ユーザ機器（ＵＥ）へ前記ダウンリンクデータを送信する、請求項３６又は３７に記載のネットワークノード。
【請求項３９】
ネットワークノードのアクセストラフィックステアリング、スイッチング、及び／又は、分割（ＡＴＳＳＳ）動作のための方法であって、
ＡＴＳＳＳルールを設定することと、
前記ＡＴＳＳＳルール及びネットワークのステータスに基づいてＡＴＳＳＳ動作を実行すること、
を備える方法。
【請求項４０】
前記ネットワークの前記ステータスは、複数の異なるネットワークアクセス上の接続に関連付けられる、請求項３９に記載の方法。
【請求項４１】
前記接続がプロトコルデータユニット（ＰＤＵ）セッションであり、前記異なるネットワークアクセスが、第３世代パートナーシッププロジェクト（３ＧＰＰ）アクセス及び非３ＧＰＰアクセスを備える、請求項３９又は４０に記載の方法。
【請求項４２】
前記ＡＴＳＳＳルールは、前記ネットワークノードのセッション管理機能（ＳＭＦ）において設定される、請求項３９から４１のいずれか一項に記載の方法。
【請求項４３】
前記ＳＭＦにおけるＡＴＳＳＳ制御機能エンティティにより、前記ＡＴＳＳＳ動作を実行することを決定することをさらに備える、請求項４２に記載の方法。
【請求項４４】
ユーザ機器（ＵＥ）又は前記ネットワークノードのユーザプレーン機能（ＵＰＦ）に、前記ＳＭＦからのＡＴＳＳＳルール及び動作コマンドを設定することをさらに備える、請求項４２又は４３に記載の方法。
【請求項４５】
前記ＳＭＦにより、前記ユーザ機器（ＵＥ）又は前記ＵＰＦからのリンク検出の測定結果に基づいて前記ＡＴＳＳＳルールを更新すること、及び、前記ユーザ機器（ＵＥ）又は前記ＵＰＦへ、前記更新されたＡＴＳＳＳルールを設定することをさらに備える、請求項４４に記載の方法。
【請求項４６】
ダウンリンクデータが到達した場合、前記ＵＰＦにより、前記ＡＴＳＳＳルールに基づいて適切なアクセスパスを決定することを備える、請求項４４又は４５に記載の方法。
【請求項４７】
前記ＵＰＦにより、選択アクセスパスを介して、前記ユーザ機器（ＵＥ）へ前記ダウンリンクデータを送信することをさらに備える、請求項４６に記載の方法。
【請求項４８】
前記ＵＰＦにより、パスパフォーマンス測定を実行すること、及び、設定レポート状態に基づいて前記ＳＭＦへ結果を報告することをさらに備える、請求項４７に記載の方法。
【請求項４９】
前記ＳＭＦにより、前記ユーザ機器（ＵＥ）からのフィードバックに基づいて前記ＡＴＳＳＳルールを更新することをさらに備える、請求項４４から４７のいずれか一項に記載の方法。
【請求項５０】
前記ＳＭＦにより、前記ユーザ機器（ＵＥ）から前記ＵＰＦへ、前記フィードバックを転送することをさらに備える、請求項４９に記載の方法。
【請求項５１】
前記ＳＭＦにより、前記ＵＰＦへ、前記更新されたＡＴＳＳＳルールを送信することをさらに備える、請求項４９又は５０に記載の方法。
【請求項５２】
前記ＵＰＦにより、前記更新されたＡＴＳＳＳルールに基づいて、又は、前記ユーザ機器（ＵＥ）からの前記フィードバックに基づいて、パスを調整することをさらに備える、請求項４９から５１のいずれか一項に記載の方法。
【請求項５３】
前記ＵＰＦが前記パスを調整することは、前記ダウンリンクデータのために、前記パスの１つのアクセスから別の１つへ切り替える、又は、分割動作の開始／停止を切り替える、ことを備える、請求項４２に記載の方法。
【請求項５４】
前記ＵＰＦにより、調整されたアクセスパスを介して、前記ユーザ機器（ＵＥ）へ前記ダウンリンクデータを送信することをさらに備える、請求項４２又は４３に記載の方法。
【請求項５５】
コンピュータにより実行されたときに、前記コンピュータに請求項１２から２２、及び、３９から５４のいずれか一項に記載の方法を実行させる命令が格納された、非一時な機械可読記憶媒体。
【請求項５６】
プロセッサとコンピュータプログラムを格納するように構成されたメモリを備え、前記プロセッサは前記メモリに格納された前記コンピュータプログラムを実行し、請求項１２から２２のいずれか一項に記載の方法を実行するよう構成された、端末装置。
【請求項５７】
プロセッサとコンピュータプログラムを格納するように構成されたメモリを備え、前記プロセッサは前記メモリに格納された前記コンピュータプログラムを実行し、請求項３９から５４のいずれか一項に記載の方法を実行するように構成された、ネットワークノード。
【発明の詳細な説明】
【技術分野】
【０００１】
本開示は、通信システムの技術分野に関連し、さらに具体的には、アクセストラフィックステアリング、スイッチング、及び／又は、分割（ＡＴＳＳＳ：Access Traffic Steering Switching and Splitting）動作のための装置及び方法に関連する。  
【背景技術】
【０００２】
近年においては、移動通信事業者は、彼らのネットワークにおいて劇的なトラフィックの増加を経験しており、この傾向は継続しそうである。このトラフィックの増加は、一部では、移動通信ネットワークに依存するスマートフォン並びにその他のデバイスの増加、及び、多くの利用者が彼らのニーズのための陸線通信サービスの利用から移動通信サービスの利用への移行に起因している。高トラフィックの要求を満たすため、及び、エンドユーザエクスペリエンスを向上させるため、移動通信業者は、彼らが提供するサービスの競争率を維持するために資するレベルでの運用コストを保持しつつ、ネットワーク効率、ネットワーク容量、及びエンドユーザエクスペリエンスの向上のためのメカニズムを検討している。
【０００３】
したがって、アクセストラフィックステアリング、スイッチング、及び／又は、分割（ＡＴＳＳＳ）動作のための装置及び方法が必要となる。
【発明の概要】
【０００４】
本開示の目的は、良好な通信パフォーマンス及び高い信頼性を提供する、及び、リンク品質の検出とフィードバックに基づいてどの様にＡＴＳＳＳが実行されるかの解決策を提供する、アクセストラフィックステアリング、スイッチング、及び／又は、分割（ＡＴＳＳＳ）動作のための装置及び方法を提案することである。
【０００５】
本開示の第１の観点では、アクセストラフィックステアリング、スイッチング、及び／又は、分割（ＡＴＳＳＳ）動作のためのユーザ機器（ＵＥ：User Equipment）であって、メモリと、送受信機と、及び、メモリと送受信機に結合されたプロセッサを含む。プロセッサは、複数の異なるネットワークアクセス上の接続を確立し、異なるネットワークアクセス上の接続が確立されたとき、ＡＴＳＳＳルールを設定するように構成されている。
【０００６】
本開示の第２の観点では、ユーザ機器のアクセストラフィックステアリング、スイッチング、及び／又は、分割（ＡＴＳＳＳ）動作のための方法であって、複数の異なるネットワークアクセス上の接続を確立することと、異なるネットワークアクセス上の接続が確立されたとき、ＡＴＳＳＳルールを設定することを含む。
【０００７】
本開示の第３の観点では、アクセストラフィックステアリング、スイッチング、及び／又は、分割（ＡＴＳＳＳ）動作のためのネットワークノードであって、メモリと、送受信機と、及び、メモリと送受信機に結合されたプロセッサを含む。プロセッサは、ＡＴＳＳＳルールを設定し、ＡＴＳＳＳルール及びネットワークアクセスのステータスに基づいてＡＴＳＳＳ動作を実行するように構成されている。
【０００８】
本開示の第４の観点では、ネットワークノードのアクセストラフィックステアリング、スイッチング、及び／又は、分割（ＡＴＳＳＳ）動作のための方法であって、ＡＴＳＳＳルールを設定することと、ＡＴＳＳＳルール及びネットワークのステータスに基づいてＡＴＳＳＳ動作を実行することを含む。
【０００９】
本開示の第５の観点では、コンピュータにより実行されたときに、コンピュータに上記の方法を実行させる命令が格納された、非一時な機械可読記憶媒体である。
【００１０】
本開示の第６の観点では、プロセッサとコンピュータプログラムを格納するように構成されたメモリを含む端末装置である。プロセッサはメモリに格納されたコンピュータプログラムを実行し、上記の方法を実行するよう構成されている。
【００１１】
本開示の第７の観点では、プロセッサとコンピュータプログラムを格納するように構成されたメモリを含むネットワークノードである。プロセッサはメモリに格納されたコンピュータプログラムを実行し、上記の方法を実行するように構成されている。
【図面の簡単な説明】
【００１２】
本開示又は関連技術の実施形態をより明確に図解するため、実施形態にて説明されるであろう以下の図が、簡潔に取り入れられる。ここで図は単に本開示のいくつかの実施形態であることは明白であり、この分野の当業者であれば、前提を払うことなく、これらの図に基づいて他の図を得ることが出来よう。
【図１】図１は、本開示の実施形態に係るアクセストラフィックステアリング、スイッチング、及び／又は、分割（ＡＴＳＳＳ）動作のためのユーザ機器及びネットワークノードのブロック図である。
【図２】図２は、本開示の実施形態に係るユーザ機器のアクセストラフィックステアリング、スイッチング、及び／又は、分割（ＡＴＳＳＳ）動作のための方法のフローチャートである。
【図３】図３は、本開示の実施形態に係るネットワークノードのアクセストラフィックステアリング、スイッチング、及び／又は、分割（ＡＴＳＳＳ）動作のための方法のフローチャート図である。
【図４】図４は、本開示の実施形態に係るＡＴＳＳＳ構造の概略図である。
【図５】図５は、本開示の実施形態に係る第３世代パートナーシッププロジェクト（３ＧＰＰ）アクセスのためのユーザプレーンプロトコルスタックの概略図である。
【図６】図６は、本開示の実施形態に係る非３ＧＰＰアクセスのためのユーザプレーンプロトコルスタックの概略図である。
【図７】図７は、本開示の実施形態に係るダウンリンクＡＴＳＳＳ実行処理の典型例の概略図である。
【図８】図８は、本開示の実施形態に係るアップリンクＡＴＳＳＳ実行処理の典型例の概略図である。
【図９】図９は、本開示の実施形態に係る無線通信のためのシステムのブロック図である。
【発明の詳細な説明】
【００１３】
本開示の実施形態を、以下に記述する添付図面を参考とし、技術的事項、構造的特徴、達成される目的、及び、効果の詳細とともに記述する。具体的には、本開示の実施形態における用語は、単に特定の実施形態の目的を記述しており、本開示を限定するものではない。
【００１４】
図１は、いくつかの実施形態において、本開示の実施形態に係るアクセストラフィックステアリング、スイッチング、及び／又は、分割（ＡＴＳＳＳ）動作のためのユーザ機器（ＵＥ）１０及びネットワークノード２０が提供されることを図示している。ユーザ機器１０は、プロセッサ１１と、メモリ１２と、及び送受信機１３を含んでもよい。ネットワークノード２０は、プロセッサ２１、メモリ２２と、及び送受信機２３を含んでもよい。プロセッサ１１又は２１は、本明細書で記述された、機能、処理、及び／又は、方法を実行するように構成されてもよい。メモリ１２又は２２は、プロセッサ１１又は２１に動作可能に結合され、プロセッサ１１又は２１を動作させる様々な情報を格納する。送受信機１３又は２３は、プロセッサ１１又は２１に動作可能に結合され、送受信機１３又は２３は、無線信号を送信及び／又は受信する。
【００１５】
プロセッサ１１又は２１は、特定用途向け集積回路（ＡＳＩＣ：Application-Specific Integrated Circuit）、他のチップセット、論理回路及び／又はデータ処理デバイスを含んでもよい。メモリ１２又は２２は、読み取り専用メモリ（ＲＯＭ：Read-only Memory）、ランダムアクセスメモリ（ＲＡＭ：Random Access Memory）、フラッシュメモリ、メモリカード、記憶媒体及び／又は他の記憶デバイスを含んでもよい。送受信機１３又は２３は、無線周波数信号を処理するためのベースバンド回路を含んでもよい。ソフトウェアにおいて本実施形態が実現された場合、本明細書に記載された機能を実行するモジュール（例えば、処理、機能など）によって、ここに開示する技術が実行され得る。モジュールは、メモリ１２又は２２に格納され、プロセッサ１１又は２１によって実行され得る。メモリ１２又は２２は、プロセッサ１１又は２１の中、又は、プロセッサ１１又は２１の外で実装され得て、その様な場合、これらは本技術において知られている様々な方法を介して、プロセッサ１１又は２１へ通信可能に結合され得る。
【００１６】
ユーザ機器間の通信は、第３世代パートナーシッププロジェクト（３ＧＰＰ：3rd Generation Partnership Project）のリリース１４、１５及びそれ以降のもとで開発されたサイドリンク技術による、Ｖ２Ｖ（Vehicle-to-Vehicle）、Ｖ２Ｐ（Vehicle-to-Pedestrian）、及び、Ｖ２Ｉ／Ｎ（Vehicle to Infrastructure／Network）を含むＶ２Ｘ（Vehicle-to-Everything）に関連する。ユーザ機器は、ＰＣ５インタフェースのようなサイドリンクインタフェースを介して互いに直接通信する。
【００１７】
本開示の実施形態による解決策は、良好な通信パフォーマンス並びに高い信頼性を提供する、及び、リンク品質の検出並びにフィードバックに基づいてどの様にＡＴＳＳＳを実行するかのソリューションを提供するアクセストラフィックステアリング、スイッチング、及び／又は、分割（ＡＴＳＳＳ）動作のための装置及び方法を提案することである。解決策は、データの操作、切り替え、及び／又は異なる無線アクセス技術（ＲＡＴｓ：Radio Access Technologies）の間の分割に対処する傾向がある。例えば、３ＧＰＰＲＡＴ及び非３ＧＰＰＲＡＴである。
【００１８】
いくつかの実施形態において、プロセッサ１１は、複数の異なるネットワークアクセス上の接続を確立し、異なるネットワークアクセス上の接続が確立されたとき、ＡＴＳＳＳルールを設定するように構成される。
【００１９】
いくつかの実施形態において、プロセッサ１１は、ＡＴＳＳＳルール及びネットワークのステータスに基づいて、ＡＴＳＳＳ動作を実行するように構成され、ネットワークのステータスは、異なるネットワークアクセス上の接続に関連付けられる。接続はプロトコルデータユニット（ＰＤＵ：Protocol Data Unit）セッションであり、異なるネットワークアクセスは、第３世代パートナーシッププロジェクト（３ＧＰＰ）アクセス及び非３ＧＰＰアクセスを含む。プロセッサ１１は、送受信機１３を制御して、ネットワークノードのセッション管理機能（ＳＭＦ：Session Management Function）からＡＴＳＳＳルール及び動作コマンドを受信するように構成される。プロセッサ１１は、リンク検出を実行して、ＳＭＦに制御プレーンを介してリンク検出の測定結果を提供するように構成される。プロセッサ１１は、送受信機を制御して、ＳＭＦからリンク検出の測定結果に基づいて更新されたＡＴＳＳＳルールを受信するように構成され、プロセッサ１１は、更新されたＡＴＳＳＳルールを適用するように構成される。
【００２０】
いくつかの実施形態において、アップリンクデータがネットワークノード２０から、送受信機１３に到達した場合、プロセッサ１１は、ＡＴＳＳＳルールに基づいて適切なアクセスパスを決定する。ユーザ機器１０は、ＡＴＳＳＳルールを施行するように構成された、トラフィックフロー制御プロトコル（ＴＥＣＰ：Traffic Flow Control Protocol）エンティティをさらに含む。プロセッサ１１は、送受信機１３を制御して、プロセッサ１１によって決定された選択アクセスパスを介して、ネットワークノード２０のユーザプレーン機能（ＵＰＦ：User Plane Function）へ、アップリンクデータを送信するように構成される。プロセッサ１１は、更新されたＡＴＳＳＳルールを施行し、サービスのために選択アクセスパスを調整するように構成される。プロセッサ１１がサービスのために選択アクセスパスを調整することは、更新されたＡＴＳＳＳルールに基づいて、アップリンクデータのために、選択アクセスパスを１つのアクセスから別の１つへ切り替える、又は、分割動作の開始／停止を切り替えることを含む。プロセッサ１１は、送受信機１３を制御して、調整されたアクセスパスを介して、アップリンクデータをＵＰＦへ送信するように構成されている。
【００２１】
いくつかの実施形態において、プロセッサ２１は、ＡＴＳＳＳルールを設定し、ＡＴＳＳＳルール及びネットワークのステータスに基づいて、ＡＴＳＳＳ動作を実行するように構成されている。
【００２２】
いくつかの実施形態において、ネットワークのステータスは、複数の異なるネットワークアクセス上の接続に関連付けられる。接続はプロトコルデータユニット（ＰＤＵ）セッションであり、異なるネットワークアクセスが、第３世代パートナーシッププロジェクト（３ＧＰＰ）アクセス及び非３ＧＰＰアクセスを含む。ＡＴＳＳＳルールは、ネットワークノード２０のセッション管理機能（ＳＭＦ）において設定される。ネットワークノードは、ＡＴＳＳＳ動作を実行することを決定するように構成される、ＳＭＦにおけるＡＴＳＳＳ制御機能エンティティをさらに含む。ＳＭＦは、ユーザ機器１０又はネットワークノード２０のユーザプレーン機能（ＵＰＦ）に、ＡＴＳＳＳルール及び動作コマンドを設定するように構成される。
【００２３】
いくつかの実施形態において、ＳＭＦは、ユーザ機器１０又はＵＰＦからのリンク検出の測定結果に基づいてＡＴＳＳＳルールを更新するように、及び、ユーザ機器１０又はＵＰＦに更新されたＡＴＳＳＳルールを設定するように構成される。ダウンリンクデータが到達した場合、ＵＰＦは、ＡＴＳＳＳルールに基づいて適切なアクセスパスを送信するように構成される。ＵＰＦは、選択アクセスパスを介して、ユーザ機器１０へダウンリンクデータを送信するように構成される。ＵＰＦは、パスパフォーマンス測定を実行するように、及び、設定レポート状態に基づいてＳＭＦへ結果を報告するように構成される。ＳＭＦは、ユーザ機器１０からのフィードバックに基づいてＡＴＳＳＳルールを更新するように構成される。
【００２４】
いくつかの実施形態において、ＳＭＦは、ユーザ機器１０からＵＰＦへ、フィードバックを転送するように構成される。ＳＭＦは、ＵＰＦへ、更新されたＡＴＳＳＳルールを送信するように構成される。ＵＰＦは、更新されたＡＴＳＳＳルールに基づいて、又は、ユーザ機器１０からのフィードバックに基づいて、パスを調整するように構成される。ＵＰＦがパスを調整することは、ダウンリンクデータのために、パスを１つのアクセスから別の１つへ切り替える、又は、分割動作の開始／停止を切り替えることを含む。ＵＰＦは、調整されたアクセスパスを介して、ユーザ機器１０へダウンリンクデータを送信する。
【００２５】
図２は、本開示の実施形態に係るユーザ機器のアクセストラフィックステアリング、スイッチング、及び／又は、分割（ＡＴＳＳＳ）動作のための方法２００を図示する。方法２００は：ブロック２０２、複数の異なるネットワークアクセス上の接続を確立すること、及び、ブロック２０４、異なるネットワークアクセス上の接続が確立されたとき、ＡＴＳＳＳルールを設定することを含む。
【００２６】
いくつかの実施形態において、方法２００は、ＡＴＳＳＳルール及びネットワークのステータスに基づいて、ＡＴＳＳＳ動作を実行することをさらに含んでおり、ネットワークのステータスは、異なるネットワークアクセス上の接続に関連付けられる。接続は、プロトコルデータユニット（ＰＤＵ）セッションであり、異なるネットワークアクセスは、第３世代パートナーシッププロジェクト（３ＧＰＰ）アクセス及び非３ＧＰＰアクセスを含む。方法２００は、ネットワークノードセッション管理機能（ＳＭＦ）からＡＴＳＳＳルール及び動作コマンドを受信することをさらに含む。方法２００は、リンク検出を実行して、ユーザ機器からＳＭＦへ、制御プレーンを介してリンク検出の測定結果を提供すること、ＳＭＦからリンク検出の測定結果に基づいて更新されたＡＴＳＳＳルールを受信すること、及び更新されたＡＴＳＳＳルールを適応することをさらに含む。
【００２７】
いくつかの実施形態において、アップリンクデータがネットワークノードからユーザ機器に到達した場合、ＡＴＳＳＳルールに基づいて適切なアクセスパスを決定することを含む。いくつかの実施形態において、方法２００は、ユーザ機器におけるトラフィックフロー制御プロトコル（ＴＦＣＰ）エンティティにより、ＡＴＳＳＳルールを施行することをさらに含む。いくつかの実施形態において、方法２００は、ユーザ機器によって決定された選択アクセスパスを介して、ネットワークノードのユーザプレーン機能（ＵＰＦ）へ、アップリンクデータを送信することをさらに含む。いくつかの実施形態において、方法２００は、更新されたＡＴＳＳＳルールを施行し、サービスのために選択アクセスパスを調整することをさらに含む。サービスのために選択アクセスパスを調整することは、更新されたＡＴＳＳＳルールに基づいて、アップリンクデータのために、選択アクセスパスを１つのアクセスから別の１つへ切り替える、又は、分割動作の開始／停止を切り替えることを含む。いくつかの実施形態において、方法２００は、調整されたアクセスパスを介して、アップリンクデータをＵＰＦに送信することをさらに含む。
【００２８】
図３は、本開示の実施形態に係るネットワークノードのアクセストラフィックステアリング、スイッチング、及び／又は、分割（ＡＴＳＳＳ）動作のための方法３００を図示する。方法３００は：ブロック３０２、ＡＴＳＳＳルールを設定すること、ブロック３０４、ＡＴＳＳＳルール及びネットワークのステータスに基づいてＡＴＳＳＳ動作を実行することを含む。
【００２９】
いくつかの実施形態において、ネットワークのステータスは、複数の異なるネットワークアクセス上の接続に関連付けられる。接続は、プロトコルデータユニット（ＰＤＵ）セッションであり、異なるネットワークアクセスは、第３世代パートナーシッププロジェクト（３ＧＰＰ）アクセス及び非３ＧＰＰアクセスを含む。ＡＴＳＳＳルールは、ネットワークノードのセッション管理機能（ＳＭＦ）において設定される。いくつかの実施形態において、方法３００は、ＳＭＦにおけるＡＴＳＳＳ制御機能エンティティによりにより、ＡＴＳＳＳ動作を実行することを決定することをさらに含む。いくつかの実施形態において、方法３００は、ユーザ機器（ＵＥ）又はネットワークノードのユーザプレーン機能（ＵＰＦ）に、ＳＭＦからのＡＴＳＳＳルール及び動作コマンドを設定することをさらに含む。
【００３０】
いくつかの実施形態において、方法３００は、ＳＭＦにより、ユーザ機器（ＵＥ）又はＵＰＦからのリンク検出の測定結果に基づいてＡＴＳＳＳルールを更新すること、及び、ユーザ機器又はＵＰＦへ、更新されたＡＴＳＳＳルールを設定することをさらに含む。ダウンリンクデータが到達した場合、方法は、ＵＰＦにより、ＡＴＳＳＳルールに基づいて適切なアクセスパスを決定することを含む。
【００３１】
いくつかの実施形態において、方法３００は、ＵＰＦにより、選択アクセスパスを介して、ユーザ機器へダウンリンクデータを送信することを含む。いくつかの実施形態において、方法３００は、ＵＰＦにより、パスパフォーマンス測定を実行すること、及び、設定レポート状態に基づいてＳＭＦへ結果を送信することをさらに含む。いくつかの実施形態において、方法３００は、ＳＭＦにより、ユーザ機器からのフィードバックに基づいてＡＴＳＳＳルールを更新することをさらに含む。いくつかの実施形態において、方法３００は、ＳＭＦにより、ユーザ機器からＵＰＦへ、フィードバックを転送することをさらに含む。
【００３２】
いくつかの実施形態において、方法３００は、ＳＭＦにより、ＵＰＦへ、更新されたＡＴＳＳＳルールを送信することをさらに含む。いくつかの実施形態において、方法３００は、ＵＰＦにより、更新されたＡＴＳＳＳルールに基づいて、又は、ユーザ機器からのフィードバックに基づいて、パスを調整することをさらに含む。ＵＰＦがパスを調整することは、ダウンリンクデータのために、パスの１つのアクセスから別の１つへ切り替えること、又は、分割動作の開始／停止を切り替えることを含む。いくつかの実施形態において、方法３００は、ＵＰＦにより、調整されたアクセスパスを介して、ユーザ機器へダウンリンクデータを送信することをさらに含む。
【００３３】
本開示の実施形態の目的のため、３ＧＰＰ仕様において採用され得る用語及び定義を、以下に示す。
【００３４】
アクセストラフィックステアリング：新しいデータフローのためのアクセスネットワーク接続し、及び、選択されたアクセスネットワーク上のデータフローのトラフィックを転送する処理である。アクセストラフィックステアリングは、３ＧＰＰと非３ＧＰＰアクセスとの間に適用され得る。
【００３５】
アクセストラフィックスイッチング：データフローの連続性を維持する方法であり、進行中のデータフローの全てのトラフィックを１つのアクセスネットワークから別のアクセスネットワークに移動する処理である。アクセストラフィックスイッチングは、３ＧＰＰと非３ＧＰＰアクセスとの間に適用され得る。
【００３６】
アクセストラフィック分割：データフローのトラフィックを複数のアクセスネットワークに分割する処理である。トラフィック分割がデータフローへ適用された場合、データフローのいくつかのトラフィックは１つのアクセスを介して転送され、及び、同じデータフローの他のいくつかのトラフィックは別のアクセスを介して転送される。アクセストラフィック分割は、３ＧＰＰと非３ＧＰＰアクセスとの間に適用され得る。
【００３７】
マルチアクセスＰＤＵセッション：３ＧＰＰアクセス、非３ＧＰＰアクセス、又は両方のアクセス上で転送され得るトラフィックのＰＤＵセッションである。
【００３８】
図４は、本開示の実施形態に係るＡＴＳＳＳ構造を図示する。
【００３９】
ポリシー制御機能（ＰＣＦ：Policy Control Function）におけるＡＴＳＳＳポリシー制御機能は、アプリケーション固有の情報、ＵＥサブスクリプションデータ（UE Subscription Data）、ユーザプレファレンス（User Preference）、ローカルポリシー（Local Policy）、又はこれらの任意の組み合わせに係る、以下のポリシーを定義する。
【００４０】
トラフィックステアリングポリシー（Traffic Steering Policy）：このルールは、新しいデータフローを開始する場合、アクセスを選択するために用いられる。トラフィックスイッチングポリシー（Traffic Switching Policy）：このルールは、データフローを、３ＧＰＰから非３ＧＰＰへ又はその逆に移動すべき場合を決定するために用いられる。トラフィック分割ポリシー（Traffic Splitting Policy）：このルールは、データフローを、３ＧＰＰ及び非３ＧＰＰへ分割すべき場合を決定するために用いられる。上記のポリシーは、以下の原則によって適切なアクセスを決定してもよい。例えば：
【００４１】
リーストロードファースト（Least Loaded First）：最も負荷が小さいパスは、トラフィックを転送するために選択される。例えば、トラフィックステアリングポリシーにおいて、最も負荷の小さいパスは、新しいデータフローを開始するために選択される。ベストパフォーマンスファースト（Best Performance First）：トラフィック転送のために、最高のパフォーマンスのパスが選択され、トラフィックステアリングポリシー又はトラフィックスイッチングポリシーに適用され得る。ロードバランス（Load Balance）：トラフィックは両方のアクセスパスに分割されるため、例えば重みに基づいて、トラフィックを均等又は不均等に分散できる。トラフィック／アプリケーションタイプ：特定のトラフィックタイプ又はアプリケーションは、ユーザ又はオペレータにより定義された特定のアクセスパスに結び付けられる。ユーザロケーション情報（User Location Information）：トラフィックは、トラフィックは、特定の場所において３ＧＰＰ又は非３ＧＰＰネットワークへ誘導又は切り替えられる。例えば、非３ＧＰＰは、自宅又はオフィスにおいて高い優先度が提供される。
【００４２】
ＳＭＦにおけるＡＴＳＳＳポリシーエンフォースメント機能は、５Ｇネットワークコア（５ＧＣ）とユーザ機器の間の全ＰＤＵセッションのＡＴＳＳＳポリシーのエンフォースメント及びセッション管理を担当する。ポリシーエンフォースメント機能は、Ｎ７を介してＰＣＦからＡＴＳＳＳポリシーを受信でき、ＡＴＳＳＳルールを生成し、Ｎ４上でＵＰＦにＡＴＳＳＳルールを伝達することにより、トラフィックを制御する。ＡＴＳＳＳポリシーエンフォースメント機能は、ＰＤＵセッションの確立及びＰＤＵセッションの変更中に、ＡＴＳＳＳＰＤＵセッション関連のルールをユーザ機器へ提供することも出来る。
【００４３】
ＡＴＳＳＳトラフィック制御機能は、以下の機能を包含する：
【００４４】
トラフィック分散機能：トラフィックを適切な３ＧＰＰ又は非３ＧＰＰアクセスパスへ分散する。トラフィック分散機能は、３ＧＰＰ若しくは非３ＧＰＰアクセスのいずれか、又は両方にトラフィックを転送する。これは、ＡＴＳＳＳルール及びネットワークのステータスに基づいて、トラフィックの分散が指定された着信パケットに使用してもよいパスを決定する。より具体的には、ＡＴＳＳＳルールはＳＭＦからであり、各アクセスパスのパフォーマンスは、パスパフォーマンス測定機能により報告される。
【００４５】
トラフィック再結合機能：３ＧＰＰ及び非３ＧＰＰアクセスから受信したトラフィックフローを再結合する。トラフィック再結合機能は、３ＧＰＰ及び非３ＧＰＰアクセスの両方からトラフィックを受信する。この機能は、トラフィックフロー制御プロトコル（ＴＦＣＰ）レイヤーにおけるシーケンス数に基づいて、潜在的に順序の乱れたパケットの並べ替えを提供する。
【００４６】
パスパフォーマンス測定機能：利用可能なパスのパフォーマンスを監視し、この情報をトラフィック分散機能に報告する。パスパフォーマンス測定機能は、パスのパフォーマンス情報に関してトラフィック分散機能へのインプットを提供する。パスパフォーマンスは、トラフィック利用報告によりを介して通知される。パスパフォーマンスは、帯域幅、損失率、又は／及び、遅延によって測定されてもよい。
【００４７】
ＴＦＣＰカプセル化（Encapsulation）／脱カプセル化（Decapsulation）機能：ＴＦＣＰヘッダーをカプセル化／脱カプセル化する。ＴＦＣＰカプセル化／脱カプセル化機能は、ＰＤＵセッションデータのため、ＴＦＣＰヘッダーを加え又は除去する。ＴＦＣＰレイヤーは、ＡＴＳＳＳＳルールに基づいてＰＤＵセッションごと、ＳＤＦごとに適用されてもよい。上層のレイヤーから受信されたパケットの順番により、パケットカプセル化機能は、ＴＦＣＰヘッダーにおけるシーケンス番号を設定する。
【００４８】
図５は、本開示の実施形態に係る第３世代パートナーシッププロジェクト（３ＧＰＰ）アクセスのための、ユーザプレーンプロトコルスタック（User Plane Protocol Stack）を図示する。図６は、本開示の実施形態に係る非３ＧＰＰアクセスのための、ユーザプレーンプロトコルスタックの概略図である。いくつかの実施形態において、図５及び６は、それぞれＰＤＵセッションに関連したユーザプレーントランスポート（User Plane Transport）のためのプロトコルスタックを図示する。これらのソリューションにおいて、ユーザ機器とＵＰＦの間のトラフィックは、ＴＦＣＰレイヤー又はネットワーク収束プロトコル（ＮＣＰ：Network Convergence Protocol）レイヤーを介してトンネルされる。
【００４９】
いくつかの実施形態において、ＡＴＳＳＳ実行処理は、リンク品質の検出及びフィードバックに基づいてどの様にＡＴＳＳＳが実行されるかを記述する。ＵＰＦ又はユーザ機器は、リンク検出を実行し、制御プレーンを介してＳＭＦへ測定結果を提供する。ＳＭＦは、ＵＰＦ又はユーザ機器から受信した測定結果に基づいてＡＴＳＳＳルールを更新し、ユーザ機器又はＵＰＦに更新されたＡＴＳＳＳルールを設定する。ユーザ機器又はＵＰＦは、更新されたＡＴＳＳＳルールを適用する。詳細なコールフローは、以下の処理で説明され得て、ダウンリンク及びアップリンク処理を個別に表している。
【００５０】
図７は、本開示の実施形態に係るダウンリンクＡＴＳＳＳ実行処理を図示する。この処理はＡＴＳＳＳ処理のために適用され、ＵＰＦはＡＴＳＳＳポリシー（ＡＴＳＳＳルールなど）及びネットワークのステータスに基づいたＡＴＳＳＳ動作を実行する。この処理において、ユーザ機器は既に３ＧＰＰ及び非３ＧＰＰアクセス上でＰＤＵセッションを確立していると仮定する。
【００５１】
ステップ１。ユーザ機器は３ＧＰＰ及び非３ＧＰＰアクセス上でＰＤＵセッションを確立し、ＡＴＳＳＳポリシーはユーザ機器及びＳＭＦにおいて設定される。ステップ２。ＳＭＦにおけるＡＴＳＳＳ制御機能エンティティは、ＡＴＳＳＳ動作を実行することを決定する。ステップ３。ＳＭＦは、ＵＰＦへＡＴＳＳＳポリシー及び動作コマンドを設定する。ステップ４。ダウンリンクデータが到達した場合、ＵＰＦエンティティは、ＡＴＳＳＳポリシーに基づいて適切なアクセスパスを決定する。ステップ５。ＵＰＦは、選択されたアクセスパスを介してユーザ機器へダウンリンクデータを送信する。ステップ６。ユーザ機器は、例えば、データ損失率、遅延、無線信号品質であるパスパフォーマンス測定を実行し、設定レポート状態に基づいてＳＭＦへ結果を報告する。ステップ７。ＳＭＦは、ユーザ機器のフィードバックに基づいてＡＴＳＳＳポリシーを更新する；あるいは、ＳＭＦは、ＵＰＦへステップ６においてフィードバックを送信する。ステップ８ａ。ＳＭＦは、ＵＰＦへ更新されたＡＴＳＳＳポリシーを送信する。ステップ８ｂ。ＵＰＦは、ＳＭＦへ更新されたＡＴＳＳＳポリシーに関する応答を送信する。ステップ９。ＵＰＦは、パスを調整する。例えば、更新されたＡＴＳＳＳルールに基づいて；又はユーザ機器からのフィードバックに基づいて、ダウンリンクデータのために、パスを１つのアクセスから別の１つに切り替える、又は、分割動作の開始／停止を切り替える。ステップ１０。ＵＰＦは、調整されたアクセスパスを介して、ユーザ機器へダウンリンクデータを送信する。
【００５２】
図８は、本開示の実施形態に係るアップリンクＡＴＳＳＳ実行処理を図示する。この処理はＡＴＳＳＳ動作のアップリンク伝達のために適用され、ユーザ機器はＡＴＳＳＳポリシー及びネットワークのステータスに基づいてＡＴＳＳＳ動作を実行する。この処理において、ユーザ機器は既に３ＧＰＰ及び非３ＧＰＰアクセス上でのＰＤＵセッションを確立していると仮定する。
【００５３】
ステップ１。ユーザ機器は３ＧＰＰ及び非３ＧＰＰアクセス上でＰＤＵセッションを確立し、ＡＴＳＳＳポリシーはユーザ機器及びＳＭＦにおいて設定される。ステップ２。ＳＭＦにおけるＡＴＳＳＳ制御機能エンティティは、ＡＴＳＳＳ動作を実行することを決定する。ステップ３。ＳＭＦは、ユーザ機器へＡＴＳＳＳポリシー及び動作コマンドを設定する。ステップ４。アップリンクデータが到達した場合、ＵＥエンティティは、ＡＴＳＳＳポリシーに基づいて適切なアクセスパスを決定する。ステップ５。ユーザ機器は、選択されたアクセスパスを介してユーザ機器へダウンリンクデータを送信する。ステップ６。ＵＰＦは、例えば、データ損失率、遅延、無線信号品質であるパスパフォーマンス測定を実行し、設定レポート状態に基づいてＳＭＦへ結果を報告する。ステップ７ａ、７ｂ及び８。ＳＭＦは、ＵＰＦのフィードバックに基づいてＡＴＳＳＳポリシーを更新する；あるいは、ＳＭＦは、ユーザ機器へステップ６においてフィードバックを送信する。ステップ９。ユーザ機器はパスを調整する。例えば、更新されたＡＴＳＳＳルールに基づいて；又はユーザ機器からのフィードバックに基づいて、ダウンリンクデータのために、パスを１つのアクセスから別の１つへ切り替える、又は、分割動作の開始／停止を切り替える。ステップ１０。ユーザ機器は、調整されたアクセスパスを介して、ＵＰＦへアップリンクデータを送信する。
【００５４】
図９は、本開示の実施形態に係る無線通信のための例であるシステム７００のブロック図である。本明細書において記載されている実施形態は、適当に構成された任意のハードウェア及び／又はソフトウェアを用いて実行されてもよい。図９は、システム７００を図示し、無線周波数（ＲＦ：Radio Frequency）回路７１０、ベースバンド回路７２０、アプリケーション回路７３０、メモリ／ストレージ７４０、ディスプレイ７５０、カメラ７６０、センサ７７０、及び出力／入力（Ｉ／Ｏ：Input／Output）インタフェース７８０を含んでおり、少なくともそれらが互いに結合されていることが図示されている。
【００５５】
アプリケーション回路７３０は、限定されないが、１又はそれ以上のシングル−コアプロセッサ又はマルチ−コアプロセッサなどの回路を含んでもよい。プロセッサは、グラフィックプロセッサ及びアプリケーションプロセッサなどの汎用プロセッサ（General-Purpose Processor）及び専用プロセッサ（Dedicated Processor）の任意の組み合わせを含んでもよい。プロセッサは、メモリ／ストレージに結合されてもよく、メモリ／ストレージに格納された指令を実行して、システム上で実行される種々のアプリケーション及び／又はオペレーションシステムを可能とするように構成されてもよい。
【００５６】
いくつかの実施形態において、利用可能なパスは、パスパフォーマンス測定機能により測定され、トラフィック分散機能へ報告される。パスパフォーマンス測定機能は、ユーザ機器及びＵＰＦにおいて展開される。これは、ユーザ機器及びＵＰＦのいずれもがパスパフォーマンス測定を開始でき、測定結果はトラフィック分散の決定へ用いられることを意味する。パスパフォーマンス測定パラメータは、アクセス不定パラメータ及びアクセス固有パラメータ（任意）を含む。アクセス不定パラメータは、ＲＴＴ、ジター（Jitter）、及びパケット損失率パラメータを含み、これらはそれぞれ、３ＧＰＰ及び非３ＧＰＰアクセスのパスパフォーマンス正当化に用いられる。アクセス固有パラメータは、それぞれのアクセスの負荷又は信号強度を確認するために使用され得るパラメータを含む。例えば、３ＧＰＰアクセスのための基準信号受信電力（ＲＳＲＰ：Reference Signal Received Power）／基準信号受信電力品質（ＲＳＲＱ：Reference Signal Received Power Quality）、及び非３ＧＰＰのための利用可能な帯域幅である。それ以外に、例えば、測定のためのアクセスタイプ、測定期間、レポート閾値及び／又はレポート期間である、パスパフォーマンス測定ポリシーもパスパフォーマンス測定パラメータに含まれる。
【００５７】
測定の粒度は、ＰＤＵセッション毎、又は、サービスの品質（ＱｏＳ：Quality of Service）フロー毎、それぞれのアクセスであり得る。ＰＤＵセッション確立／変更の間、ＳＭＦは、ＰＤＵセッション又はＱｏＳフローであり、潜在的に分散されるトラフィックのパスパフォーマンス測定パラメータを、ＰＤＵセッション確立／変更の受諾におけるユーザ機器へ、ＮＡＳメッセージを介して提供する。それ以外に、ＳＭＦは、パスパフォーマンス測定パラメータに加えてＰＤＵセッション識別（ＩＤ：Identity）又はＱｏＳフローＩＤ（ＱＦＩ）も提供し、ユーザ機器へ、パスパフォーマンス測定パラメータに対応するＰＤＵセッション又は測定されるＱｏＳフローを結びつけることを指示する。ＰＤＵセッション又は測定されるＱｏＳフローのためのパフォーマンス測定パラメータを受信した後、ユーザ機器は、パスパフォーマンス測定ポリシーに基づいてＰＤＵセッション又はＱｏＳフローのためのパスパフォーマンス測定を開始する。
【００５８】
ユーザ機器は、測定期間に基づいてＴＦＣＰエコー要求メッセージを生成し、定期的に３ＧＰＰアクセス及び／又は非３ＧＰＰアクセスを介してＴＦＣＰエコー要求メッセージを送信する。ＵＰＦが、ＴＦＣＰエコー要求メッセージを３ＧＰＰ及び／又は非３ＧＰＰアクセスノードからそれぞれ受信した場合、ＵＰＦは、ＴＦＣＰエコー応答メッセージを生成し、対応するアクセスノードを介して送り返す。ラウンドトリップタイム（ＲＴＴ：Round Trip Time）及びジターは、ＴＦＣＰエコー要求／応答メッセージを介して測定され得る。それ以外に、ユーザ機器及びＵＰＦは、パケット損失率の結果を得るために、送信と受信のパケットデータ統計を交換し得る。
【００５９】
ＱｏＳフロー毎のトラフィック測定は、ＱｏＳフローのためのリンクパフォーマンスに影響無く実行され得る。例えば、パスパフォーマンス測定のためのＴＦＣＰエコー要求／応答メッセージの送信のインターバルは、数分間に設定され得る。リンクパフォーマンスが徐々に劣化しないので、パスパフォーマンス検出のためのインターバルを分と設定すれば、ＡＴＳＳＳのために十分となり得る。
【００６０】
ユーザ機器は、３ＧＰＰアクセス及び非３ＧＰＰアクセスの利用可能な帯域幅のための、無線信号強度を測定し得る。レポート閾値又はパフォーマンス測定パラメータの期間に基づいて、ユーザ機器はＵＰＦへ測定結果を、ユーザプレーンに直接的に、又は、ＳＭＦへのユーザプレーンを介してＳＭＦからＵＰＦへ提供し得る。
【００６１】
ベースバンド回路７２０は、限定されないが、１又はそれ以上の、シングル−コア又はマルチ−コアプロセッサなどの回路を含んでもよい。プロセッサは、ベースバンドプロセッサを含んでもよい。ベースバンド回路は、ＲＦ回路を介して１又はそれ以上の無線ネットワーク通信を可能とする種々の無線制御機能を扱えてもよい。無線制御機能は、限定されないが、シングル変調、符号化、復号化、無線周波数偏移などを含んでもよい。いくつかの実施形態において、ベースバンド回路は１又はそれ以上の無線技術と通信の互換性を提供してもよい。例えば、いくつかの実施形態において、ベースバンド回路は、ＥＵＴＲＡＮ（Evolved Universal Terrestrial Radio Access Network）、及び／又は他のＷＭＡＮ（Wireless Metropolitan Area Networks）、ＷＬＡＮ（Wireless Local Area Network）、ＷＰＡＮ（Wireless Personal Area Network）との通信のサポートをしてもよい。ベースバンド回路が複数の無線プロトコルの無線通信をサポートするように構成されている実施形態を、マルチ−モードベースバンド回路と呼んでもよい。
【００６２】
種々の実施形態において、ベースバンド回路７２０は、厳密にベースバンド周波数内にあるとみなされない信号に作動する回路を含んでもよい。例えば、いくつかの実施形態において、ベースバンド回路は、ベースバンド周波数と無線周波数の間の中間周波数を持つ信号に作動する回路を含んでもよい。
【００６３】
ＲＦ回路７１０は、非固体媒体を通じて変調された電磁放射を用いて、無線ネットワークへの通信を可能としてもよい。種々の実施形態において、ＲＦ回路は、無線ネットワークとの通信を促進するために、スイッチ、フィルター、増幅器などを含んでもよい。
【００６４】
種々の実施形態において、ＲＦ回路７１０は、厳密に無線周波数内にあるとみなされない信号に作動する回路を含んでもよい。例えば、いくつかの実施形態において、ＲＦ回路は、ベースバンド周波数と無線周波数の間の中間周波数を持つ信号に作動する回路を含んでもよい。
【００６５】
種々の実施形態において、ユーザ機器、ｅＮＢ、又はｇＮＢに関して上記で説明した送信機回路、制御回路、又は受信機回路は、ＲＦ回路、ベースバンド回路、及び／又は、アプリケーション回路の全部又は一部において実現されてもよい。本明細書で用いられる場合、「回路」は、特定用途向け集積回路（ＡＳＩＣ：Application Specific Integrated Circuit）、電子回路、プロセッサ（共有、専用、又はグループ）、及び／又は１又は複数のソフトウェア又はファームウェアプログラムを実行するメモリ（共有、専用、又はグループ）、組合せ論理回路、及び／又は、記述された機能を提供するために適切なハードウェアコンポーネントの一部、又は、含んでいるとみなしてもよい。いくつかの実施形態において、電子デバイス回路は、１又は複数のソフトウェア又はファームウェアに実装されてもよく、又は、回路に関連付けられた機能は、１又は複数のソフトウェア又はファームウェアモジュールによって実装されてもよい。
【００６６】
いくつかの実施形態において、ベースバンド回路、アプリケーション回路、及び／又は、メモリ／ストレージの構成要素のいくつか又は全ては、システムオンチップ（ＳＯＣ：System on Chip）上で、ともに実装されてもよい。
【００６７】
メモリ／ストレージ７４０は、例えば、システムへのデータ及び／又は指令を、読み込む及び格納するために用いられてもよい。１つの実施形態のためのメモリ／ストレージは、ダイナミックランダムアクセスメモリ（ＤＲＡＭ：Dynamic Random Access Memory）などの揮発性メモリ、及び／又は、フラッシュメモリなどの不揮発性メモリの適切な任意の組み合わせを含んでもよい。
【００６８】
種々の実施形態において、Ｉ／Ｏインタフェース７８０は、１つ又は複数の、ユーザとシステムとが相互作用が可能となるように設計されたユーザインタフェース、及び／又は、周辺構成要素のシステムがシステムとが相互作用が可能となるように設計された周辺構成要素インタフェースを含んでもよい。ユーザインタフェースは、限定されないが、物理的キーボード、キーパッド、タッチパッド、スピーカ、マイクロフォンなどを含んでよい。周辺構成要素インタフェースは、限定されないが、不揮発メモリポート、ＵＳＢ（Universal Serial Bus）ポート、オーディオジャック及びパワーサプライインタフェースを含んでもよい。
【００６９】
種々の実施形態において、センサ７７０は、１又は複数のシステムに関連する環境条件及び／又は位置情報を決定する、センシングデバイスを含んでもよい。いくつかの実施形態において、センサは、限定されないが、ジャイロセンサ、加速度計、近接センサ、周辺光センサ、及びポジショニングユニットを含んでもよい。ポジショニングユニットもまたは、ポジショニングネットワークの構成要素、例えばＧＰＳ（Global Positioning System）衛星と通信するための、ベースバンド回路及び／又はＲＦ回路の一部でもよく、相互作用してもよい。
【００７０】
種々の実施形態において、ディスプレイ７５０は、液晶ディスプレイ、タッチスクリーンディスプレイなどを含んでもよい。種々の実施形態において、システム７００は、限定されないが、ラップトップコンピューティングデバイス、タブレットコンピューティングデバイス、ネットブック、ウルトラブック、スマートフォンなどのモバイルコンピューティングデバイスでもよい。種々の実施形態において、システムは多少の構成要素、及び／又は、種々のアーキテクチャを持っていてもよい。必要に応じて、本明細書に記載されている方法はコンピュータプログラムとして実行されてもよい。コンピュータプログラムは、非一時的な記憶媒体などの記憶媒体に格納されてもよい。
【００７１】
本開示の実施形態において、良好な通信パフォーマンス並びに高い信頼性を提供する、及び、リンク品質の検出並びにフィードバックに基づいてどの様にＡＴＳＳＳを実行するかのソリューションを提供するアクセストラフィックステアリング、スイッチング、及び／又は、分割（ＡＴＳＳＳ）動作のための装置及び方法が提供される。実施形態の解決策は、データの操作、切り替え、及び／又は異なる無線アクセス技術（ＲＡＴｓ：Radio Access Technologies）の間の分割に対処する傾向がある。例えば、３ＧＰＰＲＡＴ及び非３ＧＰＰＲＡＴである。
【００７２】
本開示の実施形態は、３ＧＰＰ仕様において採用され得る最終製品を創作する、技術／処理の組み合わせである。
【００７３】
当業者は、本開示の実施形態において説明及び開示されている、ユニット、アルゴリズム、及びステップのそれぞれが、電子ハードウェア、又は、コンピュータのためのソフトウェア及び電子ハードウェアの組み合わせを用いて実現されていることを理解する。機能がハードウェア又はソフトウェアで実行するかは、アプリケーション条件及び技術計画のための設定要求に依存する。
【００７４】
当業者は、それぞれ特定のアプリケーションのための機能を実現するため、様々な方法を用いることが出来るが、その実現が本開示の範囲を超えるべきものではない。前記のシステム、デバイス、及びユニットの動作過程は基本的に同じであるため、前記の実施形態におけるシステム、デバイス、及びユニットの動作過程を参考とし得ることが、当業者により理解されよう。簡単な記載及び平易のため、これらの動作過程は詳細に説明しない。
【００７５】
本開示の実施形態において、開示されたシステム、デバイス、及び方法は、他の手段により実現され得ることが理解される。前記の実施形態は単に例示である。ユニットの分割は単に論理機能に基づき、一方で実現には、他の分割が存在する。複数のユニット又は構成要素を結合させる、又は他のシステムに結合させることが可能である。いくつかの特徴は省略され、又はスキップされることが可能である。一方で、表示又は説明された、相互結合、直接結合、又は通信結合は、いくつかのポート、デバイス、又はユニットと通じて、電気的、機械的、又は他の種類の形式により、非直接的又は通信的に動作する。
【００７６】
説明のための分離構成要素としてのユニットは物理的に分離されているか、されていない。表示のためのユニットは物理的ユニットであるか、ではない。すなわち、１つの場所に位置する、又は複数のネットワークユニットに配信されている。いくつか又は全てのユニットは、実施形態の目的により用いられる。さらに、それぞれの実施形態におけるそれぞれの機能ユニットは、物理的に独立した１つの処理ユニットに、又は、２つ又は２つ以上のユニットに統合された１つの処理ユニットに、統合され得る。
【００７７】
ソフトウェア機能ユニットが製品として実現され、使用され、販売された場合、コンピュータの可読記憶媒体に格納され得る。この理解に基づき、本開示により提案された技術的計画は、本質的に又は部分的にソフトウェア製品の形態として実現され得る。又は、従来技術にとって利益をもたらす技術計画の一部は、ソフトウェア製品の形態として実現され得る。コンピュータにおけるソフトウェア製品は、記憶媒体に格納され、コンピュータデバイス（パーソナルコンピュータ、サーバ、又はネットワークデバイスなど）への、本開示の実施形態により開示された、全て又はいくつかのステップを実行する複数のコマンドを含んでいる。記憶媒体は、ＵＳＢディスク、モバイルハードディスク、読み取り専用メモリ（ＲＯＭ：Read-Only Memory）、ランダムアクセスメモリ（ＲＡＭ：Random Access Memory）、フロッピーディスク、又はその他のプログラムコードを格納出来る媒体を含んでいる。
【００７８】
本開示は、最も実用的で好ましいと考えられる実施形態に関して説明して来たが、本開示は、開示された実施形態に限られることはなく、添付された請求項の最も広い解釈の範囲から逸脱することなく様々な組合せを網羅されていると理解される。
【図１】
2021518684.tif 000003
【図２】
2021518684.tif 000004
【図３】
2021518684.tif 000005
【図４】
2021518684.tif 000006
【図５】
2021518684.tif 000007
【図６】
2021518684.tif 000008
【図７】
2021518684.tif 000009
【図８】
2021518684.tif 000010
【図９】
2021518684.tif 000011
【手続補正書】
【提出日】令和2年10月6日(2020.10.6)
【手続補正１】
【補正対象書類名】特許請求の範囲
【補正対象項目名】全文
【補正方法】変更
【補正の内容】
【特許請求の範囲】
【請求項１】
アクセストラフィックステアリング、スイッチング、及び／又は、分割（ＡＴＳＳＳ）動作のためのユーザ機器（ＵＥ）であって、
メモリと、
送受信器と、
前記メモリ及び前記送受信器に結合されたプロセッサと、
を備え、
前記プロセッサは、
複数の異なるネットワークアクセス上の接続を確立し、
前記異なるネットワークアクセス上の接続が確立されたとき、ＡＴＳＳＳルールを設定する、
ように構成される、ユーザ機器。
【請求項２】
前記プロセッサは、前記ＡＴＳＳＳルール及びネットワークのステータスに基づいて、ＡＴＳＳＳ動作を実行するように構成され、前記ネットワークの前記ステータスは、前記異なるネットワークアクセス上の接続に関連付けられる、請求項１に記載のユーザ機器。
【請求項３】
前記接続がプロトコルデータユニット（ＰＤＵ）セッションであり、前記異なるネットワークアクセスが、第３世代パートナーシッププロジェクト（３ＧＰＰ）アクセス及び非３ＧＰＰアクセスを備える、請求項１又は２に記載のユーザ機器。
【請求項４】
前記プロセッサは、前記送受信器を制御して、ネットワークノードのセッション管理機能（ＳＭＦ）からＡＴＳＳＳルール及び動作コマンドを受信するように構成される、請求項１から３のいずれか一項に記載のユーザ機器。
【請求項５】
前記プロセッサは、リンク検出を実行して、前記ＳＭＦに制御プレーンを介して前記リンク検出の測定結果を提供するように構成され、前記プロセッサは、前記送受信器を制御して、前記ＳＭＦから前記リンク検出の前記測定結果に基づいて更新されたＡＴＳＳＳルールを受信するように構成され、前記プロセッサは、前記更新されたＡＴＳＳＳルールを適用するように構成される、請求項１から４のいずれか一項に記載のユーザ機器。
【請求項６】
アップリンクデータが前記ネットワークノードから前記送受信器に到達した場合、前記プロセッサは、前記ＡＴＳＳＳルールに基づいて適切なアクセスパスを決定する、請求項４又は５に記載のユーザ機器。
【請求項７】
前記ＡＴＳＳＳルールを施行するように構成された、トラフィックフロー制御プロトコル（ＴＦＣＰ）エンティティをさらに備える、請求項６に記載のユーザ機器。
【請求項８】
前記プロセッサは、前記送受信器を制御して、前記プロセッサによって決定された選択アクセスパスを介して、前記ネットワークノードのユーザプレーン機能（ＵＰＦ）へ、前記アップリンクデータを送信するように構成される、請求項６又は７のいずれか一項に記載のユーザ機器。
【請求項９】
前記プロセッサは、前記更新されたＡＴＳＳＳルールを施行し、サービスのために前記選択アクセスパスを調整するように構成される、請求項６から８のいずれか一項に記載のユーザ機器。
【請求項１０】
前記プロセッサが前記サービスのために前記選択アクセスパスを調整することは、前記更新されたＡＴＳＳＳルールに基づいて、前記アップリンクデータのために、前記選択アクセスパスを１つのアクセスから別の１つへ切り替える、又は、分割動作の開始／停止を切り替える、ことを備える、請求項９に記載のユーザ機器。
【請求項１１】
前記プロセッサは、前記送受信器を制御して、前記調整されたアクセスパスを介して、前記アップリンクデータを前記ＵＰＦに送信するように構成される、請求項１０に記載のユーザ機器。
【請求項１２】
ユーザ機器（ＵＥ）のアクセストラフィックステアリング、スイッチング、及び／又は、分割（ＡＴＳＳＳ）動作のための方法であって、
複数の異なるネットワークアクセス上の接続を確立することと、
前記異なるネットワークアクセス上の接続が確立されたとき、ＡＴＳＳＳルールを設定すること、
を備える方法。
【請求項１３】
前記ＡＴＳＳＳルール及びネットワークのステータスに基づいて、ＡＴＳＳＳ動作を実行することをさらに備え、前記ネットワークの前記ステータスは、前記異なるネットワークアクセス上の接続に関連付けられる、請求項１２に記載の方法。
【請求項１４】
前記接続がプロトコルデータユニット（ＰＤＵ）セッションであり、前記異なるネットワークアクセスが、第３世代パートナーシッププロジェクト（３ＧＰＰ）アクセス及び非３ＧＰＰアクセスを備える、請求項１２又は１３に記載の方法。
【請求項１５】
ネットワークノードのセッション管理機能（ＳＭＦ）からＡＴＳＳＳルール及び動作コマンドを受信することをさらに備える、請求項１２から１４のいずれか一項に記載の方法。
【請求項１６】
リンク検出を実行して、前記ユーザ機器（ＵＥ）から前記ＳＭＦへ、制御プレーンを介して前記リンク検出の測定結果を提供すること、前記ＳＭＦから前記リンク検出の前記測定結果に基づいて更新されたＡＴＳＳＳルールを受信すること、及び前記更新されたＡＴＳＳＳルールを適応することをさらに備える、請求項１２から１５のいずれか一項に記載の方法。
【請求項１７】
アップリンクデータが前記ネットワークノードから前記ユーザ機器（ＵＥ）に到達した場合、前記ＡＴＳＳＳルールに基づいて適切なアクセスパスを決定することを備える、請求項１５又は１６に記載の方法。
【請求項１８】
前記ユーザ機器（ＵＥ）におけるトラフィックフロー制御プロトコル（ＴＦＣＰ）エンティティにより、前記ＡＴＳＳＳルールを施行することをさらに備える、請求項１７に記載の方法。
【請求項１９】
前記ユーザ機器（ＵＥ）によって決定された選択アクセスパスを介して、前記ネットワークノードのユーザプレーン機能（ＵＰＦ）へ、前記アップリンクデータを送信することをさらに備える、請求項１７又は１８に記載の方法。
【請求項２０】
前記更新されたＡＴＳＳＳルールを施行し、サービスのために前記選択アクセスパスを調整することをさらに備える、請求項１７から１９のいずれか一項に記載の方法。
【請求項２１】
前記サービスのために前記選択アクセスパスを調整することは、前記更新されたＡＴＳＳＳルールに基づいて、前記アップリンクデータのために、前記選択アクセスパスを１つのアクセスから別の１つへ切り替える、又は、分割動作の開始／停止を切り替える、ことを備える、請求項２０に記載の方法。
【請求項２２】
前記調整されたアクセスパスを介して、前記アップリンクデータを前記ＵＰＦに送信することをさらに備える、請求項２１に記載の方法。
【請求項２３】
アクセストラフィックステアリング、スイッチング、及び／又は、分割（ＡＴＳＳＳ）動作のためのネットワークノードであって、
メモリと、
送受信器と、
前記メモリ及び前記送受信器に結合されたプロセッサと、
を備え、
前記プロセッサは、
ＡＴＳＳＳルールを設定し、
前記ＡＴＳＳＳルール及びネットワークのステータスに基づいてＡＴＳＳＳ動作を実行する、
ように構成される、ネットワークノード。
【請求項２４】
前記ネットワークの前記ステータスは、複数の異なるネットワークアクセス上の接続に関連付けられる、請求項２３に記載のネットワークノード。
【請求項２５】
前記接続がプロトコルデータユニット（ＰＤＵ）セッションであり、前記異なるネットワークアクセスが、第３世代パートナーシッププロジェクト（３ＧＰＰ）アクセス及び非３ＧＰＰアクセスを備える、請求項２３又は２４に記載のネットワークノード。
【請求項２６】
前記ＡＴＳＳＳルールは、前記ネットワークノードのセッション管理機能（ＳＭＦ）において設定される、請求項２３から２５のいずれか一項に記載のネットワークノード。
【請求項２７】
前記ＡＴＳＳＳ動作を実行することを決定するように構成される、前記ＳＭＦにおけるＡＴＳＳＳ制御機能エンティティをさらに備える、請求項２６に記載のネットワークノード。
【請求項２８】
前記ＳＭＦは、ユーザ機器（ＵＥ）又は前記ネットワークノードのユーザプレーン機能（ＵＰＦ）に、ＡＴＳＳＳルール及び動作コマンドを設定するように構成される、請求項２６又は２７に記載のネットワークノード。
【請求項２９】
前記ＳＭＦは、前記ユーザ機器（ＵＥ）又は前記ＵＰＦからのリンク検出の測定結果に基づいて前記ＡＴＳＳＳルールを更新するように、及び、前記ユーザ機器（ＵＥ）又は前記ＵＰＦに前記更新されたＡＴＳＳＳルールを設定するように構成される、請求項２８に記載のネットワークノード。
【請求項３０】
ダウンリンクデータが到達した場合、前記ＵＰＦは、前記ＡＴＳＳＳルールに基づいて適切なアクセスパスを決定する、請求項２８又は２９に記載のネットワークノード。
【請求項３１】
前記ＵＰＦは、選択アクセスパスを介して、前記ユーザ機器（ＵＥ）へ前記ダウンリンクデータを送信するように構成される、請求項３０に記載のネットワークノード。
【請求項３２】
前記ＵＰＦは、パスパフォーマンス測定を実行するように、及び、設定レポート状態に基づいて前記ＳＭＦへ結果を報告するように構成される、請求項３０に記載のネットワークノード。
【請求項３３】
前記ＳＭＦは、前記ユーザ機器（ＵＥ）からのフィードバックに基づいて前記ＡＴＳＳＳルールを更新するように構成される、請求項２８から３１のいずれか一項に記載のネットワークノード。
【請求項３４】
前記ＳＭＦは、前記ユーザ機器（ＵＥ）から前記ＵＰＦへ、前記フィードバックを転送するように構成される、請求項３３に記載のネットワークノード。
【請求項３５】
前記ＳＭＦは、前記ＵＰＦへ、前記更新されたＡＴＳＳＳルールを送信するように構成される、請求項３３又は３４に記載のネットワークノード。
【請求項３６】
前記ＵＰＦは、前記更新されたＡＴＳＳＳルールに基づいて、又は、前記ユーザ機器（ＵＥ）からの前記フィードバックに基づいて、パスを調整するように構成される、請求項３３から３５のいずれか一項に記載のネットワークノード。
【請求項３７】
前記ＵＰＦが前記パスを調整することは、前記ダウンリンクデータのために、前記パスを１つのアクセスから別の１つへ切り替える、又は、分割動作の開始／停止を切り替える、ことを備える、請求項３６に記載のネットワークノード。
【請求項３８】
前記ＵＰＦは、調整されたアクセスパスを介して、前記ユーザ機器（ＵＥ）へ前記ダウンリンクデータを送信する、請求項３６又は３７に記載のネットワークノード。
【請求項３９】
ネットワークノードのアクセストラフィックステアリング、スイッチング、及び／又は、分割（ＡＴＳＳＳ）動作のための方法であって、
ＡＴＳＳＳルールを設定することと、
前記ＡＴＳＳＳルール及びネットワークのステータスに基づいてＡＴＳＳＳ動作を実行すること、
を備える方法。
【請求項４０】
前記ネットワークの前記ステータスは、複数の異なるネットワークアクセス上の接続に関連付けられる、請求項３９に記載の方法。
【請求項４１】
前記接続がプロトコルデータユニット（ＰＤＵ）セッションであり、前記異なるネットワークアクセスが、第３世代パートナーシッププロジェクト（３ＧＰＰ）アクセス及び非３ＧＰＰアクセスを備える、請求項３９又は４０に記載の方法。
【請求項４２】
前記ＡＴＳＳＳルールは、前記ネットワークノードのセッション管理機能（ＳＭＦ）において設定される、請求項３９から４１のいずれか一項に記載の方法。
【請求項４３】
前記ＳＭＦにおけるＡＴＳＳＳ制御機能エンティティにより、前記ＡＴＳＳＳ動作を実行することを決定することをさらに備える、請求項４２に記載の方法。
【請求項４４】
ユーザ機器（ＵＥ）又は前記ネットワークノードのユーザプレーン機能（ＵＰＦ）に、前記ＳＭＦからのＡＴＳＳＳルール及び動作コマンドを設定することをさらに備える、請求項４２又は４３に記載の方法。
【請求項４５】
前記ＳＭＦにより、前記ユーザ機器（ＵＥ）又は前記ＵＰＦからのリンク検出の測定結果に基づいて前記ＡＴＳＳＳルールを更新すること、及び、前記ユーザ機器（ＵＥ）又は前記ＵＰＦへ、前記更新されたＡＴＳＳＳルールを設定することをさらに備える、請求項４４に記載の方法。
【請求項４６】
ダウンリンクデータが到達した場合、前記ＵＰＦにより、前記ＡＴＳＳＳルールに基づいて適切なアクセスパスを決定することを備える、請求項４４又は４５に記載の方法。
【請求項４７】
前記ＵＰＦにより、選択アクセスパスを介して、前記ユーザ機器（ＵＥ）へ前記ダウンリンクデータを送信することをさらに備える、請求項４６に記載の方法。
【請求項４８】
前記ＵＰＦにより、パスパフォーマンス測定を実行すること、及び、設定レポート状態に基づいて前記ＳＭＦへ結果を報告することをさらに備える、請求項４６に記載の方法。
【請求項４９】
前記ＳＭＦにより、前記ユーザ機器（ＵＥ）からのフィードバックに基づいて前記ＡＴＳＳＳルールを更新することをさらに備える、請求項４４から４７のいずれか一項に記載の方法。
【請求項５０】
前記ＳＭＦにより、前記ユーザ機器（ＵＥ）から前記ＵＰＦへ、前記フィードバックを転送することをさらに備える、請求項４９に記載の方法。
【請求項５１】
前記ＳＭＦにより、前記ＵＰＦへ、前記更新されたＡＴＳＳＳルールを送信することをさらに備える、請求項４９又は５０に記載の方法。
【請求項５２】
前記ＵＰＦにより、前記更新されたＡＴＳＳＳルールに基づいて、又は、前記ユーザ機器（ＵＥ）からの前記フィードバックに基づいて、パスを調整することをさらに備える、請求項４９から５１のいずれか一項に記載の方法。
【請求項５３】
前記ＵＰＦが前記パスを調整することは、前記ダウンリンクデータのために、前記パスの１つのアクセスから別の１つへ切り替える、又は、分割動作の開始／停止を切り替える、ことを備える、請求項４２に記載の方法。
【請求項５４】
前記ＵＰＦにより、調整されたアクセスパスを介して、前記ユーザ機器（ＵＥ）へ前記ダウンリンクデータを送信することをさらに備える、請求項４２又は４３に記載の方法。
【請求項５５】
コンピュータにより実行されたときに、前記コンピュータに請求項１２から２２、及び、３９から５４のいずれか一項に記載の方法を実行させる命令が格納された、非一時な機械可読記憶媒体。
【請求項５６】
プロセッサとコンピュータプログラムを格納するように構成されたメモリを備え、前記プロセッサは前記メモリに格納された前記コンピュータプログラムを実行し、請求項１２から２２のいずれか一項に記載の方法を実行するよう構成された、端末装置。
【請求項５７】
プロセッサとコンピュータプログラムを格納するように構成されたメモリを備え、前記プロセッサは前記メモリに格納された前記コンピュータプログラムを実行し、請求項３９から５４のいずれか一項に記載の方法を実行するように構成された、ネットワークノード。
【国際調査報告】
2021518684.tif 000012
2021518684.tif 000013